(57)【要約】【課題】地震による振動で家具が転倒しないように機能する転倒防止具（スペーサー）を家具側に組付けた状態で取り扱えるようにするとともに、該転倒防止具による家具転倒防止機能を向上させ得るようにすること。【解決手段】室内の床面Ａ上に設置する家具１の最上部を構成する最上部構成体３に、該最上部構成体３の上面３ａと室内の天井面Ｂとの間のスペースＨを埋め得るスペーサー４を最上部構成体３の上面３ａから上下に出没させ得る状態で配置し、さらにスペーサー４の上端部４ａが天井面Ｂに衝合する状態で、該スペーサー４を固定手段５で最上部構成体３に固定し得るように構成していることにより、転倒防止具となるスペーサー４を最上部構成体３と一体的に取り扱えるようにするとともに、スペーサー４による家具転倒防止機能を向上させ得るようにしている。【選択図】  図２
2014068972.tif 000002
【特許請求の範囲】
【請求項１】
室内の床面（Ａ）上に設置する家具（１）の最上部を構成する最上部構成体（３）に、該最上部構成体（３）の上面（３ａ）と室内の天井面（Ｂ）との間のスペース（Ｈ）を埋め得るスペーサー（４）を上記最上部構成体（３）の上面（３ａ）から上下に出没させ得る状態で配置している一方、
上記スペーサー（４）の上部が上記最上部構成体（３）の上面（３ａ）から上方に突出して上記スペーサー（４）の上端部（４ａ）が上記天井面（Ｂ）に衝合する状態で、上記スペーサー（４）を固定手段（５）で上記最上部構成体（３）に固定し得るように構成している、
ことを特徴とする家具の転倒防止装置。
【請求項２】
請求項１において、
スペーサー（４）は板状のものを採用するとともに、
該スペーサー（４）を最上部構成体（３）の背板（３２）の内面に接合させた状態で固定するようにしている、
ことを特徴とする家具の転倒防止装置。
【発明の詳細な説明】
【技術分野】
【０００１】
本願発明は、室内に設置している家具が地震による振動で転倒するのを防止するための家具転倒防止装置に関するものである。尚、本願で対象とする家具は、例えば食器棚や箪笥と称されるような全高が比較的高いもので、例えば家具本体部分の上に上置箱体を載せたものも含まれる。
【背景技術】
【０００２】
家具の転倒防止対策の一般例として、Ｌ形の固定金具を使用してビスで家具の上面と室内の壁面とを連結するようにしたものがあるが、このようにビス止めにより家具を壁面に固定する場合は、家具や壁面に傷（ビス痕）を付けることになる。
【０００３】
又、家具の転倒防止対策の一つとして、従来から家具の上面と天井面との間に突っ張り機能を有した家具転倒防止具を介在させるようにしたものが知られている。尚、この公知例の家具転倒防止具としては、例えば特許文献１（特開２００７−７２３７号公報）のものがある。
【０００４】
この公知例（特許文献１）の家具転倒防止具Ｃは、図５及び図６に示すように、家具１の上面１ａに載せる台座８１と、天井面Ｂに対する圧接部となる押圧体８２と、押圧体８２の高さを調整する左右２つの螺子棒８３，８３とを有したものである。
【０００５】
台座８１は、上下に所定厚さを有した左右に長い直方体形状のものが採用されている。押圧体８２は、前後に所定厚さを有し上下に所定高さを有した左右に長い板材が使用されている。左右の各螺子棒８３，８３は、下半部と上半部が相互に逆向きのネジ８３ａ，８３ｂとなっており、その下部ネジ８３ａを台座８１の上面に螺合している一方、その上部ネジ８３ｂを押圧体８２の下面に螺合している。尚、この各螺子棒８３，８３は、台座８１及び押圧体８２の左右両端寄り位置に設けている。
【０００６】
そして、この図５及び図６に示す公知の家具転倒防止具Ｃは、台座８１と押圧体８２とを両螺子棒８３，８３で連結し且つ上下高さが家具１の上面１ａと天井面Ｂとの間の上下スペースＳより小さくした状態で、該上下スペースＳ内の奥部に配置した後、左右の各螺子棒８３，８３を押圧体押し上げ方向に回転させて押圧体８２を上動させることにより、家具上面１ａと天井面Ｂ間に突っ張り状態で介設できるようになっている。
【０００７】
図５及び図６に示すように、家具転倒防止具Ｃによる突っ張り状態では、家具上面１ａが下方に付勢されていて、家具１全体が床面Ａと家具転倒防止具Ｃ（台座８１）との間で挟圧されているので、地震による揺れ発生時にも家具１が転倒しにくくなっている。
【先行技術文献】
【特許文献】
【０００８】
【特許文献１】特開２００７−７２３７号公報
【発明の概要】
【発明が解決しようとする課題】
【０００９】
ところで、図５及び図６に示す公知例（特許文献１）の家具転倒防止具Ｃは、家具１とは別体のものであって、家具上面１ａと天井面Ｂとの間に突っ張り状態で介設されるものである。
【００１０】
従って、家具１の輸送時、家具１の展示時、室内への家具１の据付け時、等において、家具転倒防止具Ｃを家具１とは別に（分離状態で）取り扱う必要があるので、該家具転倒防止具Ｃの取り扱いが繁雑であった。
【００１１】
又、この公知例の家具転倒防止具Ｃでは、設置状態において、台座８１は単に家具上面１ａに載せているだけであるので、例えば経時変化等により螺子棒８３，８３が弛んで突っ張り機能がなくなると、家具転倒防止具Ｃが当初位置から位置ずれすることがあるとともに、転倒防止機能が衰える。
【００１２】
さらに、この公知例の家具転倒防止具Ｃでは、天井面Ｂに圧接する押圧体８２は、左右２本の螺子棒８３，８３だけで支持されているので、該押圧体８２に対する支持強度は比較的弱いものであり、地震発生時に家具１が大きく揺れたときに該螺子棒８３，８３による支持部（螺合部を含む）が破損又は変形する虞れがある。
【００１３】
そこで、本願発明は、家具の転倒防止機能を実行する転倒防止具を家具に組み込んだ状態で設置することにより、上記公知例の各種問題点を改善し得るようにした家具の転倒防止装置を提供することを目的としてなされたものである。
【課題を解決するための手段】
【００１４】
本願発明は、上記課題を解決するための手段として次の構成を有している。尚、本願発明は、家具が地震の振動で転倒するのを防止するための家具転倒防止装置を対象としている。
【００１５】
［本願請求項１の発明］
本願請求項１の発明の家具転倒防止装置は、添付の図１〜図４に例示するように、室内の床面Ａ上に設置する家具１の最上部を構成する最上部構成体３に、該最上部構成体３の上面３ａと室内の天井面Ｂとの間のスペースＨを埋め得るスペーサー４を最上部構成体３の上面３ａから上下に出没させ得る状態で配置している一方、上記スペーサー４の上部が最上部構成体３の上面３ａから上方に突出してスペーサー４の上端部４ａが天井面Ｂに衝合する状態で、スペーサー４を固定手段５で最上部構成体３に固定し得るように構成していることを特徴としている。
【００１６】
本願で対象とする家具１は、例えば食器棚や箪笥と称されるもので、一般に各種箱体を上下に複数段（２〜４段）積み重ねて構成されるものである。
【００１７】
そして、本願の家具転倒防止装置は、家具１の最上部を構成する最上部構成体（例えば家具本体部分の上に載置される天袋のような上置箱体）３に組付けている。尚、家具本体上に天袋のような上置箱体を載せると、全高がかなり高くなって上置箱体の上面と天井面との間の上下スペースＨはかなり小さくなる（該上下スペースＨは例えば１０cm内外となる）。
【００１８】
この請求項１の家具転倒防止装置では、最上部構成体３に、該最上部構成体３の上面３ａと室内の天井面Ｂとの間のスペースＨを埋め得るスペーサー４を最上部構成体３の上面３ａから上下に出没させ得る状態で配置していることにより、転倒防止具として機能するスペーサー４を最上部構成体３と一体的に取り扱えるようにしている。
【００１９】
又、この請求項１の家具転倒防止装置では、スペーサー４を最上部構成体３の上面３ａから上方に突出させて該スペーサー４の上端部４ａを天井面Ｂに衝合させた状態で、このスペーサー４を固定手段５で最上部構成体３に固定することができる。
【００２０】
このように、スペーサー４を家具１の最上部構成体３の上面から突出させて、スペーサー上端部４ａを天井面Ｂに衝合させた状態では、床面Ａと天井面Ｂとの間の上下間隔を、家具１の全高と最上部構成体３の上面から突出するスペーサー４の突出高さとで埋め尽くすことができる。従って、この状態では、最上部構成体３に固定されているスペーサー４の上端部４ａが天井面Ｂに衝合しているので、家具１が転倒することがない。
【００２１】
［本願請求項２の発明］
本願請求項２の発明は、上記請求項１の家具転倒防止装置において、スペーサー４は板状のものを採用するとともに、該スペーサー４を最上部構成体３の背板３２の内面に接合させた状態で固定するようにしていることを特徴としている。
【００２２】
この請求項２の場合は、スペーサー４を固定手段５で固定した際に、該スペーサー４が板材であって最上部構成体３の背板３２の内面に面接合しているので、スペーサー４の固定状態が安定するようになる。
【００２３】
又、スペーサー４を最上部構成体３の背板３２の内面に固定するようにすると、該スペーサー４を家具１（最上部構成体３）の奥部寄り位置に配置できる。
【発明の効果】
【００２４】
［本願請求項１の発明の効果］
本願請求項１の家具転倒防止装置は、次のような効果がある。
【００２５】
(１)  家具１の最上部構成体３に、天井面Ｂに衝合して家具の転倒防止機能を発揮するスペーサー４を家具１の最上部構成体３の上面３ａから上下に出没させ得る状態で配置しているので、家具１の輸送時、家具１の展示時、室内への家具１の据付け時、等において、該スペーサー４を最上部構成体３と一体的に取り扱える。即ち、図５及び図６に示す公知例のように、家具転倒防止具Ｃが家具１と別体であると、該家具転倒防止具Ｃの取り扱いが繁雑になるが、本願のように家具転倒防止具となるスペーサー４が最上部構成体３に組み込まれていると、該スペーサー４の取り扱いの繁雑さが解消できる。
【００２６】
(２)  スペーサー上端部４ａを天井面Ｂに衝合させた状態でスペーサー４を固定手段５で最上部構成体３に固定できるので、スペーサー４の設置状態が安定し、該スペーサー４による転倒防止機能が向上する。即ち、図５及び図６に示す公知例のように、家具転倒防止具Ｃの台座８１を単に家具上面に載せているだけのものでは、螺子棒８３による突っ張り力が弱くなると、台座８１が家具上面に対して移動し易くなるので、転倒防止機能が衰えるが、本願のようにスペーサー４を固定手段５で最上部構成体３に固定したものでは、該スペーサー４による転倒防止機能を長期に亘って持続させることができる。
【００２７】
［本願請求項２の発明の効果］
本願請求項２の家具転倒防止装置では、スペーサー４として板状のものを採用するとともに、該スペーサー４を最上部構成体３の背板３２の内面に接合させた状態で固定するようにしているので、スペーサー４を固定手段５で固定した際に、該スペーサー４が最上部構成体３の背板３２の内面に面接合するようになる。
【００２８】
従って、この請求項２の家具転倒防止装置では、上記請求項１の効果に加えて、スペーサー４を固定した状態での強度が強くなるので、該スペーサー４による転倒防止機能が一層良好になるという効果がある。即ち、図５及び図６に示す公知例のように、天井面Ｂに圧接する押圧体８２を左右２本の螺子棒８３，８３だけで支持したものでは、該押圧体８２に対する支持強度が比較的弱いものとなるが、本願請求項２のように、スペーサー４を背板３２に面接触させた状態で固定手段５により固定したものでは、スペーサー４を固定した状態での強度が強くなる。
【図面の簡単な説明】
【００２９】
【図１】本願実施例の家具転倒防止装置を備えた家具の設置状態を示す正面図である。
【図２】図１のII−II断面図である。
【図３】図１の家具転倒防止装置の一部拡大斜視図である。
【図４】図２の一部拡大図であってスペーサーを使用状態で固定した状態での断面図である。
【図５】公知例の家具転倒防止具の使用状態を示す側面図である。
【図６】図５の右側面図である。
【発明を実施するための形態】
【００３０】
［実施例］
図１〜図４を参照して本願の実施例を説明する。
【００３１】
この実施例では、家具転倒防止装置を使用する家具１として、図１及び図２に示すように、食器棚や箪笥等の家具本体２の上に天袋と称されている上置箱体３を載置したものを採用している。
【００３２】
この実施例では、家具本体２の上に載置している上置箱体（天袋）３が特許請求の範囲に記載した最上部構成体３となるものであり、以下の説明では、特許請求の範囲中の最上部構成体３を上置箱体３と称する。
【００３３】
尚、他の実施例として家具が背の高い一体物である場合には、該家具の上端部を構成する部分を最上部構成体３とすることができる。
【００３４】
この実施例の家具転倒防止装置の基本構成は、家具本体２の上に載置される上置箱体３に、該上置箱体３の上面３ａと天井面Ｂとの間のスペースＨを埋め得るスペーサー４を該上置箱体３の上面３ａから上下に出没させ得る状態で配置しているとともに、スペーサー４の上端部４ａを天井面Ｂに衝合させた状態で、スペーサー４を固定手段５で上置箱体３の背板３２に固定し得るようにしたものである。
【００３５】
尚、この実施例では、家具１の基礎部分となる家具本体２として、図１に示すように左右に広幅のものを採用している関係で、該家具本体２の上に載置される上置箱体３も左右に広幅のものである。
【００３６】
上置箱体３は、上板３１と背板３２と左右の側板３３，３３と底板３４とで手前側が開口する天袋形態に構成されたものである。又、この上置箱体３の前面側の開口部には、複数枚に分割した扉板３５，３５・・が設けられている。
【００３７】
図１及び図２に示すように、家具本体２の上に上置箱体３を載せた状態での家具１全体の高さは、一般的な室内における床面Ａから天井面Ｂまでの高さよりやや低い程度のものである。そして、室内に上置箱体３込みの家具１を設置したときには、上置箱体３の上面３ａから天井面Ｂまでの間に、小間隔（例えば１０cm内外）の上下スペースＨが形成されるようになっている。
【００３８】
この実施例では、上置箱体３の左右幅が広い関係で、転倒防止材として機能するスペーサー４は、左右に２分割したものを採用している。
【００３９】
各スペーサー４，４は、横長の長方形状の板材４１が使用されている。このスペーサー４として使用する板材４１の大きさ及び厚さは、特に限定するものではないが、この実施例では、横幅が上置箱体３の横幅の１／２弱程度（例えば６０〜７０cm程度）で、高さが２５〜３０cm程度で、厚さが２〜３cm程度のものを使用できる。
【００４０】
この各スペーサー４，４は、上置箱体３の背板３２の内面に沿って上下動するように配置されている。そして、この各スペーサー４，４を上置箱体３の上面３ａから上下に出没させるために、上置箱体３の上板３１の奥端部に細長穴３６を形成している。尚、この細長穴３６の穴幅は、スペーサー４（板材４１）の厚さよりごく僅かに広い程度であって、該細長穴３６はスペーサー４（板材４１）の厚さによって常に閉塞されている。従って、該細長穴３６から埃等が上置箱体３内に侵入しないようになっている。
【００４１】
各スペーサー４，４の各板材４１，４１には、それぞれ左右に間隔をもった２箇所に縦長のガイド溝４２，４２を形成している。この各ガイド溝４２，４２には、スペーサー４の固定手段５となる各ボルト５１，５１が挿通されている。この各ボルト５１，５１には蝶ボルト（回動用の羽根部があるもの）が採用されていて、工具なしで螺入・螺解し得るようになっている。
【００４２】
固定手段５は、上記各蝶ボルト５１，５１と、上置箱体３の背板３２の定位置に設置しているネジ筒５２，５２を有したものである。そして、この固定手段５は、スペーサー４（板材４１）を上置箱体３の背板３２の内面にあてがい、上置箱体３の内部空所から蝶ボルト５１，５１を板材４１の左右各ガイド溝４２，４２を通して背板３２のネジ筒５２，５２に螺合する（締め付ける）ことによって、スペーサー４（板材４１）を背板３２の内面に固定し得るようになっている。
【００４３】
又、各蝶ボルト５１，５１を弛めると（各蝶ボルト５１，５１がそれぞれガイド溝４２，４２に挿通されたまま）、スペーサー４に対する固定力が解除されて、各ガイド溝４２，４２の長さ範囲でスペーサー４を背板３２の内面に沿って上下動させ得るようになっている。
【００４４】
そして、スペーサー４を最下動させた状態では、図１〜図３において実線図示（又は点線図示）するようにスペーサー４の上端部４ａが上置箱体３の上面３ａとほぼ同高さ（スペーサー上端部４ａが上置箱体上面３ａから上方に突出しない状態）に位置している。尚、スペーサー最下動状態で各蝶ボルト５１，５１を締め込んでおくと、スペーサー４を上置箱体３内に完全に格納した状態で固定できるので、運搬時においてスペーサー４が上置箱体３に対して移動（上動）したりガタついたりしない。
【００４５】
他方、各蝶ボルト５１，５１を弛めると、スペーサー４を上置箱体３に対して上動させることができ（図１〜図３の符号４′）、そのとき該スペーサー４′の上端部４ａ′（図１、図２）を天井面Ｂに衝合させることができるようになっている。そして、スペーサー４′の上端部４ａ′を天井面Ｂに衝合させた状態で、図４に示すように、各蝶ボルト５１，５１（１つのスペーサー４につき左右２つ）を背板３２側のネジ筒５２に強く締め込むことにより、スペーサー上端部４ａを天井面Ｂに衝合させたままスペーサー４の下半部を上置箱体３の背板３２の内面に面接合させた状態で該スペーサー４を固定できるようになっている。
【００４６】
スペーサー上端部４ａを天井面Ｂに衝合させた状態（図４の符号４ａの状態又は図１及び図２の符号４ａ′の状態）でスペーサー４を固定手段５で上置箱体３の背板３２に固定した状態では、図１及び図２に示すように室内の床面Ａと天井面Ｂ間の上下間隔を、家具本体２と上置箱体３と上置箱体３の上面から突出するスペーサー４の突出高さとで埋め尽くすことができる。
【００４７】
ところで、この実施例のように、スペーサー上端部４ａ（又は４ａ′）を天井面Ｂに衝合させた状態でスペーサー４を背板３２に固定したものでは、スペーサー４が上置箱体３と天井面Ｂとの間で強く突っ張ることはないが、図２に示すようにスペーサー４′が上置箱体３の奥端部において天井面Ｂに衝合しているので、地震による大きな揺れが発生しても、次の理由により家具１が転倒することはない。
【００４８】
即ち、家具１は、通常、図２に示すように室内の縦壁面に近接して設置される関係で、地震発生時における家具１に対する転倒作用は主として家具１の前面下端１ｂを中心にして前面側に発生するが、そのときスペーサー４が符号４′で示すように上方に突出し且つスペーサー上端部４ａ′が天井面Ｂに衝合しているので、家具１が前方に倒れようとするときに、スペーサー上端部４ａ′の移動奇跡は矢印Ｌで示すように天井面Ｂより上方になり、その結果、家具１が前方に傾動できないようになっている。従って、この家具転倒防止装置による転倒防止状態では、スペーサー４が天井面Ｂに強く突っ張っていない状態であっても、家具１が前方に転倒することがない。
【００４９】
そして、この実施例の家具転倒防止装置では、家具の転倒防止機能のほかに、次の機能を有している。
【００５０】
まず、転倒防止具となるスペーサー４を家具１の上置箱体３に一体的に組付けているので、家具の輸送時、家具の展示時、室内への家具の据付け時、等において、該スペーサー４を上置箱体３と一体的に取り扱える（スペーサー４を別扱いする必要がない）。
【００５１】
又、スペーサー上端部４ａを天井面Ｂに衝合させた状態でスペーサー４を固定手段５で上置箱体３に固定できるので、スペーサー４の設置状態が安定し、該スペーサー４による転倒防止機能が向上する。
【００５２】
特に、この実施例では、スペーサー４として板状のものを採用するとともに、該スペーサー４を上置箱体３の背板３２の内面に接合させた状態で固定するようにしているので、スペーサー４を固定手段５で固定した際に、該スペーサー４が上置箱体３の背板３２の内面に面接合するようになり、スペーサー４の固定状態での強度が一層強くなる（スペーサー４による転倒防止機能が一層良好になる）。
【符号の説明】
【００５３】
１は家具、２は家具本体、３は最上部構成体（上置箱体）、４はスペーサー、５は固定手段、３１は上置箱体の上板、３２は上置箱体の背板、４１は板材、４２はガイド溝、５１はボルト（蝶ボルト）、５２はネジ筒、Ａは床面、Ｂは天井面である。
【図１】
2014068972.tif 000003
【図２】
2014068972.tif 000004
【図３】
2014068972.tif 000005
【図４】
2014068972.tif 000006
【図５】
2014068972.tif 000007
【図６】
2014068972.tif 000008